(57)【要約】      （修正有）【課題】小型化および低コスト化を図りつつ均一に混ざり合った色の光を表示する上で有利な発光表示装置および電子機器を提供する。【解決手段】発光表示装置３０は、第１、第２の発光素子３２Ａ、３２Ｂと、導光用の導光路３６と、拡散用壁部３８などを含んで構成されている。第１、第２の発光素子３２Ａ、３２Ｂは、互いに異なる色の光を出射するとともに光の出射方向と直交する方向に間隔をおいて配置されている。導光路３６は、壁部３４に一体形成され壁部３４から第１、第２の発光素子３２Ａ、３２Ｂに向かって突出する筒体３４１０の内面で形成され、導光路３６は第１、第２の発光素子３２Ａ、３２Ｂの出射方向に沿って延在している。拡散用壁部３８は、導光路３６の後端開口４２に設けられ導光路３６を前端開口４４から見て第１の発光素子３２Ａの部分と第２の発光素子３２Ｂの部分とを通るように延在している。【選択図】図１０
2008233126.tif 000002
【特許請求の範囲】
【請求項１】
互いに異なる色の光を出射するとともに前記光の出射方向と直交する方向に間隔をおいて配置された第１、第２の発光素子と、
前記第１、第２の発光素子の近傍において前記出射方向に沿って延在する導光路とを備え、
前記導光路が前記第１、第２の発光素子に臨む箇所は後端開口とされ、
前記導光路が前記第１、第２の発光素子に臨む箇所と反対側の箇所は前端開口とされ、
前記導光路を前記前端開口から見て前記第１の発光素子の部分と前記第２の発光素子の部分とを通るように延在する拡散用壁部が前記後端開口に設けられ、
前記第１、第２の発光素子から出射されたそれぞれの光が前記拡散用壁部に当たることで拡散されるとともに回折され、前記回折されたそれぞれの光が前記導光路の内部で混じり合った状態で前記前端開口から出射される、
ことを特徴とする発光表示装置。
【請求項２】
前記拡散用壁部は、その延在方向に沿った長さを有し、
前記拡散用壁部が前記第１、第２の発光素子に臨む箇所は、前記長さ方向の中央が前記長さ方向の両端よりも前記第１、第２の発光素子側に近づく凸状の湾曲面で形成されている、
ことを特徴とする請求項１記載の発光表示装置。
【請求項３】
前記拡散用壁部は、その延在方向に沿った長さと、この長さと直交する方向の幅を有し、
前記拡散用壁部が前記第１、第２の発光素子に臨む箇所は、前記幅方向の中央が前記幅方向の両端よりも前記第１、第２の発光素子側に近づく凸状の湾曲面で形成されている、
ことを特徴とする請求項１記載の発光表示装置。
【請求項４】
前記拡散用壁部が前記第１、第２の発光素子に臨む箇所にシボ加工が施されている、
ことを特徴とする請求項１記載の発光表示装置。
【請求項５】
前記導光路の壁面は白色または銀色に着色されている、
ことを特徴とする請求項１記載の発光表示装置。
【請求項６】
前記導光路を前記前端開口から見て前記第１の発光素子と前記第２の発光素子とは、前記導光路の中央部において互いに平行に延在する形状を呈し、
前記拡散用壁部は、前記導光路を前記前端開口から見て前記導光路の内部を二分するように延在し、
前記第１の発光素子と前記第２の発光素子とは、前記導光路を前記前端開口から見てそれらの延在方向の一方の端部が前記拡散用壁部により覆われ残りの部分が前記前端開口に露出している、
ことを特徴とする請求項１記載の発光表示装置。
【請求項７】
前記拡散用壁部は、前記延在方向に沿った長さと、この長さと直交する方向の幅を有し、
前記第１の発光素子および前記第２の発光素子は、前記幅方向に沿った長さを有し、
前記拡散用壁部の幅は、それら第１の発光素子および第２の発光素子の長さの１／３程度である、
ことを特徴とする請求項１記載の発光表示装置。
【請求項８】
前記導光路を前記前端開口から見て前記第１の発光素子と前記第２の発光素子とは、前記導光路の中央部において互いに平行に延在する細長形状を呈し、
前記拡散用壁部は、前記導光路を前記前端開口から見て前記第１の発光素子の長手方向の中央と前記第２の発光素子の長手方向の中央とを通るように延在している、
ことを特徴とする請求項１記載の発光表示装置。
【請求項９】
前記導光路は断面が円形である、
ことを特徴とする請求項１記載の発光表示装置。
【請求項１０】
前記第１、第２の発光素子の前方に壁部が設けられ、
前記壁部に前記出射方向に沿って延在する筒体が設けられ、
前記導光路は前記筒体の内面で構成されている、
ことを特徴とする請求項１記載の発光表示装置。
【請求項１１】
発光表示装置を有する電子機器であって、
前記発光表示装置は、
互いに異なる色の光を出射するとともに前記光の出射方向と直交する方向に間隔をおいて配置された第１、第２の発光素子と、
前記第１、第２の発光素子の近傍において前記出射方向に沿って延在する導光路とを備え、
前記導光路が前記第１、第２の発光素子に臨む箇所は後端開口とされ、
前記導光路が前記第１、第２の発光素子に臨む箇所と反対側の箇所は前端開口とされ、
前記導光路を前記前端開口から見て前記第１の発光素子の部分と前記第２の発光素子の部分とを通るように延在する拡散用壁部が前記後端開口に設けられ、
前記第１、第２の発光素子から出射されたそれぞれの光が前記拡散用壁部に当たることで拡散されるとともに回折され、前記回折されたそれぞれの光が前記導光路の内部で混じり合った状態で前記前端開口から出射される、
ことを特徴とする電子機器。
【発明の詳細な説明】
【技術分野】
【０００１】
本発明は発光表示装置および電子機器に関する。
【背景技術】
【０００２】
多くの場合、電子機器には、電源のオンオフ状態などの種々の動作状態をＬＥＤなどの発光素子を用いて表示する発光表示装置が設けられている。
このような発光表示装置として、互いに発光色が異なる２つのＬＥＤを備え、各ＬＥＤをそれぞれ単独で点灯させることで２種類の色で発光させ、さらに、２つのＬＥＤを同時に点灯させることで２つのＬＥＤの光を混ぜ合わせ、これにより各ＬＥＤの単独での発光時の色とは異なる色で発光させることにより色が異なる３種類の光で発光させることが考えられる。
そこで、細長形状の透明な発光表示体を設け、この発光表示体の両端を、発光色が異なる２つのＬＥＤによって同時に照射させることにより、発光表示体の長手方向の中間部分を２つのＬＥＤの光の色を混ぜ合わせた色の光で発光させるようにした発光表示装置が提供されている（特許文献１参照）。
また、乳白色の印刷を施した透明パネルを、発光色が異なる２つのＬＥＤによって同時に照射することによって前記乳白色の印刷部分で２つのＬＥＤの光をぼかして混ぜ合わせ、これにより２つのＬＥＤの光の色を混ぜ合わせた色の光を得るようにした発光表示装置が提供されている。
【特許文献１】特開２００５−３３３４
【発明の開示】
【発明が解決しようとする課題】
【０００３】
しかしながら、前者の発光表示装置では、発光素子の他に透明な発光表示体が必要となることから部品点数が増加し、小型化および低コスト化を図る上で不利があった。
また、後者の発光表示装置では、乳白色の濃淡のばらつきによって２つの色の光の混ざり方が不十分となりやすく、２つの色がそれぞれ独立して視認されてしまう不利がある。
本発明はこのような事情に鑑みなされたものであり、その目的は、小型化および低コスト化を図りつつ２つの色が均一に混ざり合った光を表示する上で有利な発光表示装置および電子機器を提供することにある。
【課題を解決するための手段】
【０００４】
上述の目的を達成するため、本発明の発光表示装置は、互いに異なる色の光を出射するとともに前記光の出射方向と直交する方向に間隔をおいて配置された第１、第２の発光素子と、前記第１、第２の発光素子の近傍において前記出射方向に沿って延在する導光路とを備え、前記導光路が前記第１、第２の発光素子に臨む箇所は後端開口とされ、前記導光路が前記第１、第２の発光素子に臨む箇所と反対側の箇所は前端開口とされ、前記導光路を前記前端開口から見て前記第１の発光素子の部分と前記第２の発光素子の部分とを通るように延在する拡散用壁部が前記後端開口に設けられ、前記第１、第２の発光素子から出射されたそれぞれの光が前記拡散用壁部に当たることで拡散されるとともに回折され、前記回折されたそれぞれの光が前記導光路の内部で混じり合った状態で前記前端開口から出射されることを特徴とする。
また本発明は、発光表示装置を有する電子機器であって、前記発光表示装置は、互いに異なる色の光を出射するとともに前記光の出射方向と直交する方向に間隔をおいて配置された第１、第２の発光素子と、前記第１、第２の発光素子の近傍において前記出射方向に沿って延在する導光路とを備え、前記導光路が前記第１、第２の発光素子に臨む箇所は後端開口とされ、前記導光路が前記第１、第２の発光素子に臨む箇所と反対側の箇所は前端開口とされ、前記導光路を前記前端開口から見て前記第１の発光素子の部分と前記第２の発光素子の部分とを通るように延在する拡散用壁部が前記後端開口に設けられ、前記第１、第２の発光素子から出射されたそれぞれの光が前記拡散用壁部に当たることで拡散されるとともに回折され、前記回折されたそれぞれの光が前記導光路の内部で混じり合った状態で前記前端開口から出射されることを特徴とする。
【発明の効果】
【０００５】
本発明によれば、従来必要であった発光表示体などの部品が不要となり拡散用壁部といった簡素な構成を用いているため、部品点数を削減でき小型化および低コスト化を図る上で有利となる。
また、拡散用壁部を用いて２色の光を拡散させるとともに回折させて混ぜ合わせて前端開口から出射させるようにしたので、２色の光が均一に混ざり合った色の光を表示する上で有利となる。
【発明を実施するための最良の形態】
【０００６】
（第１の実施の形態）
次に、本発明の実施の形態について図面を参照して説明する。
まず、第１の実施の形態の発光表示装置３０を用いた電子機器について説明する。
本実施の形態では電子機器はテレビジョン装置である。
図１はテレビジョン装置１０の斜視図、図２はテレビジョン装置１０の正面図である。
図１、図２に示すように、テレビジョン装置１０は、外装を構成する筐体１２と、筐体１２の下部に設けられ載置面に載置されるスタンド１２Ａとを備えている。
【０００７】
筐体１２は、矩形枠状の前カバー１４と、後カバー１６とを備えて矩形板状を呈し、筐体１２には、映像を表示するディスプレイパネル１８と電装部２４（図３参照）とが収容されている。
前カバー１４は矩形枠状を呈し、その中央に矩形状の開口１４０２が形成されている。ディスプレイパネル１８は、その表示面を開口１４０２を臨ませた状態で筐体１２により収容保持されている。
前カバー１４の下部の左右両側にはスピーカー２０がそれぞれ設けられている。
【０００８】
図３はテレビジョン装置１０の電装部２４の構成を示すブロック図である。
図３に示すように、電装部２４は、受信部２４Ａ、映像信号処理部２４Ｂ、音声信号処理部２４Ｃ、制御部２４Ｄ、操作部２４Ｅ、発光素子用駆動部２４Ｆなどを含んで構成されている。
受信部２４Ａは、制御部２４Ｄからの指令に基づいて選局を行い、アンテナから受信したテレビジョン信号を復調して映像信号と音声信号に分離して出力する。
映像信号処理部２４Ｂは、前記映像信号に対して必要な信号処理を行い、ディスプレイパネル１８に供給する。これにより、ディスプレイパネル１８で画像が表示される。ディスプレイパネル１８は液晶表示装置あるいは有機ＥＬ表示装置など従来公知のさまざまな表示装置が採用可能である。
音声信号処理部２４Ｃは、前記音声信号に対して必要な信号処理および増幅処理を行なってオーディオ信号を生成しスピーカー２０に供給する。これによりスピーカー２０から音声が発生される。
操作部２４Ｅは、テレビジョン装置１０による放送の視聴にまつわる種々の操作や設定を行うためのものであり、例えば、選局スイッチ、音量調整スイッチ、入力切り換えスイッチなどを含んでいる。
発光素子用駆動部２４Ｆは、制御部２４Ｄの制御に基づいて発光表示装置３０の第１、第２の発光素子３２Ａ、３２Ｂに駆動信号を供給することにより第１、第２の発光素子３２Ａ、３２Ｂを点灯あるいは滅灯するものである。
【０００９】
制御部２４Ｄは、操作部２４Ｅの操作に基づいて、受信部２４Ａ、映像信号処理部２４Ｂ、音声信号処理部２４Ｃ、発光素子用駆動部２４Ｆの制御を行う。
また、図示しないが、ＤＶＤプレーヤーやビデオデッキなどの外部装置から供給される映像信号および音声信号を入力するための外部入力端子と、これら外部入力端子に供給された映像信号および音声信号を映像信号処理部２４Ｂおよび音声信号処理部２４Ｃに切り換えて入力する入力切り換え回路が設けられている。
操作部２４Ｅの操作により前記外部入力端子に供給される映像信号および音声信号が前記入力切り換え回路を介して映像信号処理部２４Ｂおよび音声信号処理部２４Ｃに供給されるようになっている。
【００１０】
次に、発光表示装置３０について説明する。
図４は発光表示装置３０近傍の前パネル１４の正面図、図５は発光表示装置３０近傍の前パネル１４の分解斜視図、図６は基板４０の前面を示す斜視図、図７は発光表示装置３０の分解斜視図、図８は発光表示装置３０の正面図、図９は図８のＡＡ線断面図、図１０は図８のＢＢ線断面図である。
【００１１】
図５に示すように、スピーカー２０の下方で前カバー１４の下縁寄りの箇所には、下縁に沿って延在する細長形状の凹部１４１０が形成されている。
図１、図４、図５に示すように、凹部１４１０は光を透過可能な材料で形成された透明カバー２２で閉塞され、透明カバー２２は、帯状に延在している。
透明カバー２２の後方に本実施の形態の発光表示装置３０が組み込まれている。
透明カバー２２の裏面には遮光性を有する塗料による塗装が施され、図４に示すように、透明カバー２２には、前記塗料が付着されていない領域からなる３つの光透過用窓２２０２、２２０４、２２０６が形成されている。
各光透過用窓２２０２、２２０４、２２０６の近傍の透明カバー２２の背面には各光透過用窓２２０２、２２０４、２２０６を介して表示される発光表示装置３０の表示内容を示す文字２２１０、２２１２、２２１４が形成されている。
【００１２】
図８、図９、図１０に示すように、発光表示装置３０は、第１、第２の発光素子３２Ａ、３２Ｂと、導光路３６と、拡散用壁部３８などを含んで構成されている。
本実施の形態では、第１、第２の発光素子３２Ａ、３２Ｂは、図６に示すように、基板４０に実装されている。
詳細に説明すると、基板４０は帯板状を呈し、その前面４０Ａに基板４０の延在方向に等間隔をおいて３つの発光ユニット４２が実装されている。
各発光ユニット４２は、扁平な矩形板状を呈し、４辺を基板４０の４辺にそれぞれ平行させた状態で、その厚さ方向の一方の面（背面）が基板４０の前面４０Ａに半田付けにより接続されている。
各発光ユニット４２は前方から見て同形同大の矩形部分に４分割されており、発光ユニット４２の対角線上に位置する２つの矩形部分の一方が第１の発光素子３２Ａとして形成され、他方が第２の発光素子３２Ｂとして形成されている。残りの２つの矩形部分は非発光部分となっている。言い換えると、第１、第２の発光素子３２Ａ、３２Ｂは平面視矩形状を呈している。
第１、第２の発光素子３２Ａ、３２Ｂは、互いに異なる色の光で発光する。本実施の形態では、第１の発光素子３２Ａは緑色で発光し、第２の発光素子３２Ｂは赤色で発光する。
また、本実施の形態では、第１、第２の発光素子３２Ａ、３２ＢはＬＥＤで構成されているが、第１、第２の発光素子３２Ａ、３２Ｂとして従来公知のさまざまな発光素子が採用可能である。
言い換えると、第１、第２の発光素子３２Ａ、３２Ｂは、互いに異なる色の光を出射するとともにその出射方向と直交する方向に間隔をおいて配置されている。
【００１３】
壁部３４は、前記出射方向において第１、第２の発光素子３２Ａ、３２Ｂの近傍に配置され、言い換えると、壁部３４は、第１、第２の発光素子３２Ａ、３２Ｂの近傍で前方に配置されている。
図７、図１０に示すように、本実施の形態では、壁部３４は、前パネル１４の凹部１４１０の底壁によって構成されている。
基板４０は前面４０Ａを壁部３４に臨ませて壁部３４に取着されている。
本実施の形態では、図７に示すように、壁部３４の背面から起立された起立壁３４０２に基板４０の前面４０Ａが当て付けられた状態で、壁部３４から起立された係止爪３４０４に基板４０の背面４０Ｂが係止されるとともに、基板４０の貫通孔４００２を挿通したねじが壁部３４のボス部３４０６の雌ねじに螺合されることで基板４０が壁部３４に取着されている。
【００１４】
導光路３６は、各発光ユニット４２に対応して３つ設けられている。
本実施の形態では、図７、図９、図１０に示すように、導光路３６は、壁部３４に一体形成され壁部３４から第１、第２の発光素子３２Ａ、３２Ｂに向かって突出する筒体３４１０の内面で形成されている。
導光路３６の断面は円形であり、導光路３６は第１、第２の発光素子３２Ａ、３２Ｂの出射方向に沿って延在している。
本実施の形態では、導光路３６の壁面は白色または銀色に着色されている。
図９、図１０に示すように、導光路３６が第１、第２の発光素子３２Ａ、３２Ｂに臨む箇所は後端開口４２とされ、導光路３６が第１、第２の発光素子３２Ａ、３２Ｂに臨む箇所と反対側の箇所は前端開口４４とされる。
また、各導光路３６（前端開口４４）は透明カバー２２の背面に臨んだ箇所に位置しており、各導光路３６（前端開口４４）は、図４に示す光透過用窓２２０２、２２０４、２２０６に対応した箇所に位置している。
【００１５】
図８に示すように、拡散用壁部３８は、後端開口４２に設けられ導光路３６を前端開口４４から見て第１の発光素子３２Ａの部分と第２の発光素子３２Ｂの部分とを通るように延在している。
言い換えると、導光路３６を前端開口４４から見て、第１の発光素子３２Ａと第２の発光素子３２Ｂとは、導光路３６の中央部において互いに平行に延在する形状を呈している。
拡散用壁部３８は、導光路３６を前端開口４４から見て導光路３６の内部を二分するように延在し、第１の発光素子３２Ａと第２の発光素子３２Ｂとは、導光路３６を前端開口４４から見てそれらの延在方向の一方の端部が拡散用壁部３８により覆われ残りの部分が前端開口４４に露出している。
さらに言い換えると、本実施の形態では、図１０に示すように、拡散用壁部３８は、延在方向に沿った長さを有している。
第１の発光素子３２Ａおよび第２の発光素子３２Ｂは、幅方向に沿った長さを有している。
また、本実施の形態では、拡散用壁部３８の幅は、それら第１の発光素子３２Ａおよび第２の発光素子３２Ｂの長さの１／３程度である。
【００１６】
本実施の形態では、図１０に示すように、拡散用壁部３８が第１、第２の発光素子３２Ａ、３２Ｂに臨む箇所３８０２は、長さ方向の中央が長さ方向の両端よりも第１、第２の発光素子３２Ａ、３２Ｂ側に近づく凸状の湾曲面で形成されている。
また、本実施の形態では、図９に示すように、拡散用壁部３８は、前記長さと直交する方向の幅を有している。
拡散用壁部３８が第１、第２の発光素子３２Ａ、３２Ｂに臨む箇所３８０２は、幅方向の中央が幅方向の両端よりも第１、第２の発光素子３２Ａ、３２Ｂ側に近づく凸状の湾曲面で形成されている。
また、本実施の形態では、拡散用壁部３８が第１、第２の発光素子３２Ａ、３２Ｂに臨む箇所３８０２にシボ加工が施されている。
【００１７】
第１、第２の発光素子３２Ａ、３２Ｂから出射されたそれぞれの光は、拡散用壁部３８に当たることで拡散されるとともに回折され、回折されたそれぞれの光が導光路３６の内部で混じり合った状態で前端開口４４から出射される。
【００１８】
次に本実施の形態の発光表示装置３０の動作について説明する。
制御部２４Ｄの制御により発光素子用駆動部２４Ｆから３つの発光ユニット４２のうちの何れか１つの発光ユニット４２の第１の発光素子３２Ａに駆動信号が供給されると、第１の発光素子３２Ａのみが緑色の光で発光し、その光は拡散用壁部３８と導光路３６との間の空間を通過して前端開口４４から出射される。
これにより、緑色の光が光透過用窓２２０２、２２０４、２２０６の何れかを通過するため、この緑色の光が透明カバー２２の前方から視認可能な状態で表示される。
例えば、図４に示すように、透明カバー２２を前方から見て最も左寄りの光透過用窓２２０２が緑色の光で表示されることにより、テレビジョン装置１０が録画動作を実行していることが表示される。
【００１９】
また、制御部２４Ｄの制御により発光素子用駆動部２４Ｆから３つの発光ユニット４２のうちの何れか１つの発光ユニット４２の第２の発光素子３２Ｂに駆動信号が供給されると、第２の発光素子３２Ｂのみが赤色の光で発光し、その光は拡散用壁部３８と導光路３６との間の空間を通過して前端開口４４から出射される。
これにより、赤色の光が光透過用窓２２０２、２２０４、２２０６の何れかを通過するため、この赤色の光が透明カバー２２の前方から視認可能な状態で表示される。
例えば、図４に示すように、透明カバー２２を前方から見て最も左寄りの光透過用窓２２０２が赤色の光で表示されることにより、テレビジョン装置１０が通信動作を実行していることが表示される。
【００２０】
制御部２４Ｄの制御により発光素子用駆動部２４Ｆから３つの発光ユニット４２のうちの何れか１つの発光ユニット４２の第１の発光素子３２Ａおよび第２の発光素子３２Ｂの双方に同時に駆動信号が供給されると、第１、第２の発光素子３２Ａ、３２Ｂが緑色の光と赤色の光とで同時に発光し、それら２種類の色の光は拡散用壁部３８に当たることで拡散されるとともに回折され、回折されたそれぞれの光が導光路３６の内部で混じり合った状態で前端開口４４から出射される。
すなわち、緑色の光と赤色の光とが混じりあうことで橙色の光となって前端開口４４から出射される。
これにより、橙色の光が光透過用窓２２０２、２２０４、２２０６の何れかを通過するため、この橙色の光が透明カバー２２の前方から視認可能な状態で表示される。
例えば、図４に示すように、透明カバー２２を前方から見て最も左寄りの光透過用窓２２０２が橙色の光で表示されることにより、テレビジョン装置１０がタイマー動作を実行していることが表示される。
なお、上述の動作では３つの発光ユニット４２のうちの何れか１つの発光ユニット４２の第１の発光素子３２Ａおよび第２の発光素子３２Ｂの一方または双方が発光される場合について説明したが、３つの発光ユニット４２の第１の発光素子３２Ａおよび第２の発光素子３２Ｂをどのような組み合わせで発光させるかは任意である。
【００２１】
以上説明したように、本実施の形態の発光表示装置３０によれば、従来の発光表示体のような部品が不要となり拡散用壁部３８といった簡素な構成で済むため、部品点数を削減でき小型化および低コスト化を図る上で有利となる。
また、拡散用壁部３８を用いて２色の光を拡散させるとともに回折させて混ぜ合わせて前端開口４４から出射させるようにしたので、２つの色がそれぞれ独立して視認されてしまうことがなく、２色の光が均一に混ざり合った光を表示する上で有利となる。
また、従来のように乳白色の印刷を施した透明パネルを２色の光で照射することにより２色の光をぼかして混ぜ合わせ、これにより２色を混ぜ合わせた色の光を得る場合には、乳白色の濃淡のばらつきによって２つの色の光の混ざり方もばらつく不利があるが、本実施の形態では、そのようなばらつきがない色の光を得る上で有利となる。
【００２２】
また、本実施の形態では、図８に示すように、拡散用壁部３８は、後端開口４２に設けられ導光路３６を前端開口４４から見て第１の発光素子３２Ａの部分と第２の発光素子３２Ｂの部分とを通るように延在している。
したがって、第１の発光素子３２Ａから出射された光と、第２の発光素子３２Ｂから出射された光との双方を、拡散用壁部３８が第１、第２の発光素子３２Ａ、３２Ｂに臨む箇所３２０２に確実に当てることができ、より多くの光を拡散させることができるので、均一に混ざり合った色の光を表示させる上で有利となる。
【００２３】
また、本実施の形態によれば、図１０に示すように、拡散用壁部３８が第１、第２の発光素子３２Ａ、３２Ｂに臨む箇所３８０２は、長さ方向の中央が長さ方向の両端よりも第１、第２の発光素子３２Ａ、３２Ｂ側に近づく凸状の湾曲面で形成されている。
したがって、第１、第２の発光素子３２Ａ、３２Ｂから出射されたそれぞれの光が前記凸状の湾曲面で形成された箇所３８０２に当たることによって光が拡散用壁部３８の長さ方向においてより広い範囲にまんべんなく拡散させる上で有利となり、均一に混ざり合った色の光を表示させる上で有利となる。
なお、図１１に示すように、拡散用壁部３８の長さ方向と直交する方向から見て、拡散用壁部３８が第１、第２の発光素子３２Ａ、３２Ｂに臨む箇所３８０２が、長さ方向の全域にわたって平坦な形状で形成してもよい。
ただし、本実施の形態のように、拡散用壁部３８が第１、第２の発光素子３２Ａ、３２Ｂに臨む箇所３８０２を凸状の湾曲面で形成すると、拡散用壁部３８の長さ方向においてより広い範囲にまんべんなく拡散させる上でより有利となる。
【００２４】
また、本実施の形態では、図９に示すように、拡散用壁部３８が第１、第２の発光素子３２Ａ、３２Ｂに臨む箇所３８０２は、幅方向の中央が幅方向の両端よりも第１、第２の発光素子側に近づく凸状の湾曲面で形成されている。
したがって、第１、第２の発光素子３２Ａ、３２Ｂから出射されたそれぞれの光が前記凸状の湾曲面で形成された箇所３８０２に当たることによって光を拡散用壁部３８の幅方向においてより広い範囲にまんべんなく拡散させる上で有利となり、均一に混ざり合った色の光を表示させる上で有利となる。
【００２５】
また、本実施の形態では、拡散用壁部３８が第１、第２の発光素子３２Ａ、３２Ｂに臨む箇所３８０２にシボ加工が施されている。
したがって、第１、第２の発光素子３２Ａ、３２Ｂから出射されたそれぞれの光がシボ加工された箇所３８０２に当たることによって光をより広い範囲にまんべんなく拡散させる上で有利となり、均一に混ざり合った色の光を表示させる上で有利となる。
なお、拡散用壁部３８の箇所３８０２のシボ加工を省略してもよいが、本実施の形態のように拡散用壁部３８の箇所３８０２にシボ加工を施すと、箇所３８０２に当たった光をより広い範囲にまんべんなく拡散させる上で有利となり、均一に混ざり合った色の光を表示させる上で有利となる。
【００２６】
また、本実施の形態では、導光路３６の壁面を白色または銀色に着色したので、拡散用壁部３８で拡散され回折された光が導光路３６の白色または銀色に着色した壁面で効率よく反射されることになり、したがって、前端開口４４から出射される光の光量を確保でき、発光表示装置３０によって表示される光の視認性を高める上で有利となる。
なお、導光路３６の壁面を白色または銀色に着色しなくてもよいが、本実施の形態のように着色すると、発光表示装置３０によって表示される光の視認性を高める上でより有利となる。
【００２７】
（第２の実施の形態）
次に第２の実施の形態について説明する。
第２の実施の形態は、第１、第２の発光素子３２Ａ、３２Ｂの形状配置が第１の実施の形態と異なり、それ以外の構成は第１の実施の形態と同様である。
図１２は発光表示装置３０の正面図、図１３は図１２のＡＡ線断面図、図１４は図１２のＢＢ線断面図である。なお、以下の実施の形態では第１の実施の形態と同様の部分、部材には同一の符号を付して説明する。
【００２８】
図１２に示すように、拡散用壁部３８は、第１の実施の形態と同様に、後端開口４２に設けられ、導光路３６を前端開口４４から見て第１の発光素子３２Ａの部分と第２の発光素子３２Ｂの部分とを通るように延在している。
第２の実施の形態では、導光路３６を前端開口４４から見て、第１の発光素子３２Ａと第２の発光素子３２Ｂとは、導光路３６の中央部において互いに平行に延在する細長形状を呈しており、言い換えると、第１、第２の発光素子３２Ａ、３２Ｂは平面視長方形状を呈している。
拡散用壁部３８は、導光路３６を前端開口４４から見て、第１の発光素子３２Ａの長手方向の中央と第２の発光素子３２Ｂの長手方向の中央とを通るように延在している。
また、図１４に示すように、拡散用壁部３８が第１、第２の発光素子３２Ａ、３２Ｂに臨む箇所３８０２は、第１の実施の形態と同様に、長さ方向の中央が長さ方向の両端よりも第１、第２の発光素子３２Ａ、３２Ｂ側に近づく凸状の湾曲面で形成されている。
また、図１３に示すように、拡散用壁部３８は、前記長さと直交する方向の幅を有している。
拡散用壁部３８が第１、第２の発光素子３２Ａ、３２Ｂに臨む箇所３８０２は、第１の実施の形態と同様に、幅方向の中央が幅方向の両端よりも第１、第２の発光素子３２Ａ、３２Ｂ側に近づく凸状の湾曲面で形成されている。
また、第１の実施の形態と同様に、拡散用壁部３８が第１、第２の発光素子３２Ａ、３２Ｂに臨む箇所３８０２にシボ加工が施されており、導光路３６の壁面は白色または銀色に着色されている。
【００２９】
このような第２の実施の形態の発光表示装置３０においても第１の実施の形態と同様の効果が奏される。
また、第２の実施の形態では、導光路３６を前端開口４４から見て、第１の発光素子３２Ａと第２の発光素子３２Ｂとは、導光路３６の中央部において互いに平行に延在する細長形状を呈し、拡散用壁部３８は、導光路３６を前端開口４４から見て、第１の発光素子３２Ａの長手方向の中央と第２の発光素子３２Ｂの長手方向の中央とを通るように延在しているので、第１の発光素子３２Ａから出射される光と、第２の発光素子３２Ｂから出射される光との双方を、拡散用壁部３８が第１、第２の発光素子３２Ａ、３２Ｂに臨む箇所３２０２により確実に当てることができ、より多くの光を拡散させることができるので、均一に混ざり合った色の光を表示させる上でより一層有利となる。
【００３０】
なお、実施の形態では、第１、第２の発光素子３２Ａ、３２Ｂが出射する光の色が緑色および赤色である場合について説明したが、第１、第２の発光素子３２Ａ、３２Ｂが出射する光の色をどのように選択するかは任意であり、したがって、それら互いに色が異なる２つの光が混ぜ合わされて出射される光の色も任意に選択することができることは無論である。
また、実施の形態では、第１、第２の発光素子３２Ａ、３２Ｂが平面視矩形状または平面視長方形状を呈している場合について説明したが、第１、第２の発光素子３２Ａ、３２Ｂの形状は、例えば、平面視円形であってもよく、第１、第２の発光素子３２Ａ、３２Ｂとして従来公知のさまざまな形状の発光素子が採用可能である。
また、実施の形態では、拡散用壁部３８が直線状に延在する場合について説明したが、拡散用壁部３８は、導光路３６を前端開口４４から見て第１の発光素子３２Ａの部分と第２の発光素子３２Ｂの部分とを通るように延在していれば、拡散用壁部３８の形状は任意である。
また、実施の形態では、発光表示装置３０がテレビジョン装置１０に適用された場合について説明したが、本発明は、パーソナルコンピュータ、ビデオカメラやデジタルスチルカメラなどの撮像装置、ＰＤＡ、携帯電話機などさまざまな電子機器に広く用いることができる。
【図面の簡単な説明】
【００３１】
【図１】第１の実施の形態におけるテレビジョン装置１０の斜視図である。
【図２】テレビジョン装置１０の正面図である。
【図３】テレビジョン装置１０の電装部２４の構成を示すブロック図である。
【図４】第１の実施の形態における発光表示装置３０近傍の前パネル１４の正面図である。
【図５】発光表示装置３０近傍の前パネル１４の分解斜視図である。
【図６】基板４０の前面を示す斜視図である。
【図７】発光表示装置３０の分解斜視図である。
【図８】発光表示装置３０の正面図である。
【図９】図８のＡＡ線断面図である。
【図１０】図８のＢＢ線断面図である。
【図１１】拡散用壁部３８の変形例を示す説明図である。
【図１２】第２の実施の形態における発光表示装置３０の正面図である。
【図１３】図１２のＡＡ線断面図である。
【図１４】図１４は図１２のＢＢ線断面図である。
【符号の説明】
【００３２】
１０……テレビジョン装置、３０……発光表示装置、３２Ａ……第１の発光素子、３２Ｂ……第２の発光素子、３４……壁部、３６……導光路、３８……拡散用壁部、４２……後端開口、４４……前端開口。
【図１】
2008233126.tif 000003
【図２】
2008233126.tif 000004
【図３】
2008233126.tif 000005
【図４】
2008233126.tif 000006
【図５】
2008233126.tif 000007
【図６】
2008233126.tif 000008
【図７】
2008233126.tif 000009
【図８】
2008233126.tif 000010
【図９】
2008233126.tif 000011
【図１０】
2008233126.tif 000012
【図１１】
2008233126.tif 000013
【図１２】
2008233126.tif 000014
【図１３】
2008233126.tif 000015
【図１４】
2008233126.tif 000016